(57)【要約】【課題】水洗式トイレの便器の洗浄を確実に行うことができるトイレ用洗剤供給機を提供することを課題とする。【解決手段】水洗式トイレ１０の便器にトイレ用洗剤を供給する、トイレ用洗剤供給機１であって、水洗式トイレ１０の操作レバーを開操作してロータンク本体１１内に貯留される洗浄水を便器に流通させるときに、トイレ用洗剤と洗浄水とに空気を混入させ、空気が混入されたトイレ用洗浄剤と洗浄水とを水洗式トイレ１０の便器に供給するものとする。【選択図】図１
2015175131.tif 000002
【特許請求の範囲】
【請求項１】
水洗式トイレの便器にトイレ用洗剤を供給する、トイレ用洗剤供給機であって、
前記水洗式トイレの操作レバーを開操作してロータンク本体内に貯留される洗浄水を前記便器に流通させるときに、前記トイレ用洗剤と前記洗浄水とに空気を混入させ、当該空気が混入されたトイレ用洗浄剤と洗浄水とを前記水洗式トイレの便器に供給する、
トイレ用洗剤供給機。
【請求項２】
前記トイレ用洗剤を貯留する貯留部と、前記水洗式トイレのロータンク本体に前記トイレ用洗剤を導入する導入部と、前記トイレ用洗剤供給機を前記水洗式トイレに設置するために用いられる設置具と、を備え、
前記設置具は、前記水洗式トイレのロータンク本体の上端部に引っ掛けるようにして取付けられる取付具と、前記貯留部が載置されるように構成される台部と、を備える、
請求項１に記載のトイレ用洗剤供給機。
【請求項３】
前記設置具の取付部は、前記水洗式トイレのロータンク本体の上端部に取付けられた状態で、前記水洗式トイレの蓋の下面に当接するように構成されるとともに、前記水洗式トイレのロータンク本体の上端部との間に、前記導入部を配置可能な空間が形成されるように構成される、
請求項１または請求項２に記載のトイレ用洗剤供給機。
【請求項４】
前記導入部は、大導入管と小導入管とを備え、
前記大導入管の一端部は、前記水洗式トイレのロータンク本体内に配置され、
前記小導入管の一端部は、前記大導入管の他端部の開口から前記大導入管内に挿入されて前記大導入管の内側に配置され、前記小導入管の他端部は、前記貯留部に接続され、
前記導入部は、前記小導入管が前記大導入管内に配置された状態で、前記大導入管と前記小導入管との間に隙間が形成されるように構成され、
前記貯留部のボトル部に貯留される前記トイレ用洗浄剤は、前記導入部の前記小導入管を介して前記大導入管に流通して前記大導入管の一端部の開口から流出する、
前記水洗式トイレの操作レバーを開操作して前記ロータンク本体内に貯留される前記洗浄水を前記便器に流通させるときに、前記空気が、前記導入部の前記大導入管と前記小導入管との間の隙間を流通して、前記トイレ用洗浄剤と前記洗浄水とに混入する、
請求項１から請求項３のいずれか一項に記載のトイレ用洗剤供給機。
【発明の詳細な説明】
【技術分野】
【０００１】
本発明はトイレ用洗剤供給機の技術に関する。
【背景技術】
【０００２】
従来、水洗式トイレの便器にトイレ用洗剤を供給するトイレ用洗剤供給機に関する技術は公知となっている（特許文献１参照）。
前記トイレ用洗剤供給機は、水洗式トイレの蓋に形成されるボウル部（手洗い部）に配置され、水洗式トイレの蓋のボウル部に供給される洗浄水とともにトイレ用洗剤をロータンク本体内に供給して貯留し、水洗式トイレの操作レバーが開操作されることによってロータンク本体内の洗浄水とトイレ用洗剤とを便器に流通させる。
このようにして、前記トイレ用洗剤供給機では、洗浄水とともにトイレ用洗剤を供給して、水洗式トイレの便器の洗浄を行う。
【先行技術文献】
【特許文献】
【０００３】
【特許文献１】特開２００９−８４８０３号公報
【発明の概要】
【発明が解決しようとする課題】
【０００４】
しながら、前記トイレ用洗剤供給機では、洗浄水の水流とトイレ用洗剤とによって洗浄効果を得ているが、当該洗浄水の水流とトイレ用洗剤とだけでは、十分に水洗式トイレの便器の洗浄を行うことができない場合があった。
【０００５】
発明は以上の如き状況に鑑みてなされたものであり、水洗式トイレの便器の洗浄を確実に行うことができるトイレ用洗剤供給機を提供することを課題とする。
【課題を解決するための手段】
【０００６】
本発明の解決しようとする課題は以上の如くであり、次にこの課題を解決するための手段を説明する。
【０００７】
即ち、請求項１においては、水洗式トイレの便器にトイレ用洗剤を供給する、トイレ用洗剤供給機であって、前記水洗式トイレの操作レバーを開操作してロータンク本体内に貯留される洗浄水を前記便器に流通させるときに、前記トイレ用洗剤と前記洗浄水とに空気を混入させ、当該空気が混入されたトイレ用洗浄剤と洗浄水とを前記水洗式トイレの便器に供給するものである。
【０００８】
請求項２においては、前記トイレ用洗剤を貯留する貯留部と、前記水洗式トイレのロータンク本体に前記トイレ用洗剤を導入する導入部と、前記トイレ用洗剤供給機を前記水洗式トイレに設置するために用いられる設置具と、を備え、前記設置具は、前記水洗式トイレのロータンク本体の上端部に引っ掛けるようにして取付けられる取付具と、前記貯留部が載置されるように構成される台部と、を備えるものである。
【０００９】
請求項３においては、前記設置具の取付部は、前記水洗式トイレのロータンク本体の上端部に取付けられた状態で、前記水洗式トイレの蓋の下面に当接するように構成されるとともに、前記水洗式トイレのロータンク本体の上端部との間に、前記導入部を配置可能な空間が形成されるように構成されるものである。
【００１０】
請求項４においては、前記導入部は、大導入管と小導入管とを備え、前記大導入管の一端部は、前記水洗式トイレのロータンク本体内に配置され、前記小導入管の一端部は、前記大導入管の他端部の開口から前記大導入管内に挿入されて前記大導入管の内側に配置され、前記小導入管の他端部は、前記貯留部に接続され、前記導入部は、前記小導入管が前記大導入管内に配置された状態で、前記大導入管と前記小導入管との間に隙間が形成されるように構成され、前記貯留部のボトル部に貯留される前記トイレ用洗浄剤は、前記導入部の前記小導入管を介して前記大導入管に流通して前記大導入管の一端部の開口から流出する、前記水洗式トイレの操作レバーを開操作して前記ロータンク本体内に貯留される前記洗浄水を前記便器に流通させるときに、前記空気が、前記導入部の前記大導入管と前記小導入管との間の隙間を流通して、前記トイレ用洗浄剤と前記洗浄水とに混入するものである。
【発明の効果】
【００１１】
本発明の効果として、以下に示すような効果を奏する。
即ち、本発明によれば、水洗式トイレの便器の洗浄を確実に行うことができる。
【図面の簡単な説明】
【００１２】
【図１】本発明の実施形態に係るトイレ用洗剤供給機を示す側面一部断面図。
【図２】同じくトイレ用洗剤供給機の導入部を示す縦断面図。
【図３】同じくトイレ用洗剤供給機を示す側面一部断面図。
【図４】同じくトイレ用洗剤供給機を示す側面一部断面図。
【図５】同じく〜トイレ用洗剤供給機の導入部を示す横断面図。
【図６】同じくトイレ用洗剤供給機を示す側面一部断面図。
【図７】同じくトイレ用洗剤供給機の設置具を示す斜視図。
【図８】同じくトイレ用洗剤供給機を示す側面一部断面図。
【図９】同じくトイレ用洗剤供給機を示す側面一部断面図。
【図１０】同じくトイレ用洗剤供給機のノズルを示す側面断面図。
【図１１】同じくトイレ用洗剤供給機のノズルを示す側面断面図。
【図１２】同じくトイレ用洗剤供給機を示す側面断面図。
【発明を実施するための形態】
【００１３】
次に、図１から図５に記載のトイレ用洗剤供給機１について説明する。
【００１４】
まず、トイレ用洗剤供給機１が設けられる、水洗式トイレ１０について説明する。
図１に示すように、水洗式トイレ１０は、ロータンク式水洗トイレであり、ロータンク本体１１と、蓋１２と、便器と、給水管と、操作レバーと、ボールタップと、フロートと、を備える。
【００１５】
水洗式トイレ１０のロータンク本体１１は、給水管から流入する洗浄水が貯留されるように構成される。
蓋１２は、ロータンク本体１１の上方に着脱自在に配置される。
便器は、その上面にボウル部（手洗い部）を有する。
操作レバーは、玉鎖を介して弁体に接続され、操作されることによって弁体の開閉操作が行われるように構成される。
ボールタップは、ロータンク本体１１内に配置され、給水管に接続される。
フロートは、ロータンク本体１１内に配置され、アームを介してボールタップに接続される。
【００１６】
水洗式トイレ１０は、操作レバーが閉開操作されることによって弁体が閉じて、洗浄水がロータンク本体１１の内に貯留されるように構成される。
水洗式トイレ１０は、操作レバーが開操作されることによって弁体が開いて、ロータンク本体１１内に貯留される洗浄水を便器（ボウル部）に流通させるように構成される。
水洗式トイレ１０は、フロートがロータンク本体１１内の洗浄水の水位の変動にともなって移動することにより、ボールタップ内のバルブが開閉されて、ボールタップの給水口からロータンク本体１１内への洗浄水の吐水及び止水が切り替えられるように構成される。
なお、水洗式トイレ１０は、蓋１２の上面に手洗鉢が形成され、ボールタップに給水管が接続されて、蓋１２の手洗鉢に洗浄水を供給する構成とすることもできる。
【００１７】
トイレ用洗剤供給機１について説明する。
図１から図３に示すように、トイレ用洗剤供給機１は、水洗式トイレ１０に設けられる。
トイレ用洗剤供給機１は、水洗式トイレ１０のロータンク本体１１を介して便器にトイレ用洗剤を供給する。トイレ用洗剤供給機１は、水洗式トイレ１０のロータンク本体１１にトイレ用洗剤を供給し、ロータンク本体１１内に貯留される洗浄水とともに当該トイレ用洗剤を便器に流通させることによって、当該トイレ用洗剤を便器に供給する。
ここで、トイレ洗浄剤とは、トイレを洗浄するための液体状の洗剤を示す。
トイレ用洗剤供給機１は、貯留部２と、導入部３と、を備える。
【００１８】
トイレ用洗剤供給機１の貯留部２は、手動式のポンプボトルであり、トイレ用洗剤を貯留する。
貯留部２は、ボトル部２１と、ポンプ部２２と、を備える。
ボトル部２１は、トイレ用洗剤を貯留する容器である。
ポンプ部２２は、ボトル部２１の上部に突出するスパウト２３と、トイレ洗浄剤を吐出する吐出口２４と、を備えて構成される。
貯留部２は、ポンプ部２２（ポンプ部２２のスパウト２３）が押下動作されたときに、ボトル部２１内のトイレ洗浄剤を、ポンプ部２２の吐出口２４から吐出するように構成される。
【００１９】
トイレ用洗剤供給機１の導入部３は、ポンプ部２２の吐出口２４から吐出されたトイレ用洗浄剤を、水洗式トイレ１０のロータンク本体１１（ロータンク本体１１内の洗浄水）内を導入する。
導入部３は、大導入管３１と、小導入管３２と、を備える。
【００２０】
トイレ用洗剤供給機１の導入部３の大導入管３１は、管状の部材であり、直線状に構成される。大導入管３１は、その内径が小導入管３２の外径よりも大きく構成される。
大導入管３１は、その一端側が下方を向くように配置される。大導入管３１の一端部は、水洗式トイレ１０のロータンク本体１１内に配置される。大導入管３１の一端部は、水洗式トイレ１０のロータンク本体１１内の洗浄水内（洗浄水の水面より下方）に配置される。大導入管３１の他端部は、水洗式トイレ１０のロータンク本体１１外に配置される。
【００２１】
トイレ用洗剤供給機１の導入部３の小導入管３２は、管状の部材であり、その中途部が湾曲して略Ｌ字状に構成される。
小導入管３２は、その一端側が下方を向き、その他端側が側方を向くように配置される。小導入管３２の一端部は、大導入管３１の他端部の開口から大導入管３１内に挿入されて、大導入管３１の内側に配置される。小導入管３２の他端部は、貯留部２のポンプ部２２の吐出口２４に接続される。
導入部３は、小導入管３２が大導入管３１内に配置された状態で、大導入管３１と小導入管３２との間（大導入管３１の内面と小導入管３２の外面との間）に所定の隙間（例えば、約２ｍｍ〜約５ｍｍの隙間）が形成されるように構成される。
【００２２】
トイレ用洗剤供給機１では、貯留部２のボトル部２１に貯留されるトイレ用洗浄剤は、ポンプ部２２（ポンプ部２２のスパウト２３）が押下動作されてポンプ部２２の吐出口２４から吐出され、導入部３の小導入管３２を介して大導入管３１に流通して大導入管３１の一端部の開口から流出する。
このようにして、トイレ用洗剤供給機１は、水洗式トイレ１０のロータンク本体１１内にトイレ用洗剤を供給する。
【００２３】
また、トイレ用洗剤供給機１は、前記水洗式トイレ１０のロータンク本体１１内にトイレ用洗剤を供給した状態で操作レバーが開操作されることによって、ロータンク本体１１内に貯留される洗浄水を便器に流通させる。
このとき、吸引されるようにして導入部３の大導入管３１の一端側の開口から大導入管３１内に空気が流入する。前記空気は、導入部３の大導入管３１と小導入管３２との間の隙間を流通して、大導入管３１内のトイレ洗浄剤、および、ロータンク本体１１内のトイレ用洗浄剤と洗浄水とに、気泡（ミリバブルまたはマイクロバブル）となって混入する。そして、前記空気が混入されたトイレ用洗浄水と洗浄水とは、水洗トイレ１０の便器に流通する。
このようにして、トイレ用洗剤供給機１は、トイレ用洗剤をロータンク本体１１に供給し、トイレ用洗剤と洗浄水とに空気を混入させ、当該空気が混入されたトイレ用洗浄剤と洗浄水とを水洗式トイレ１０の便器に供給する。
【００２４】
以上のように、空気が混入されたトイレ用洗浄剤と洗浄水とを水洗式トイレ１０の便器に供給する、トイレ用洗剤供給機１では、トイレ用洗浄剤と洗浄水とに空気が混入されることから、トイレ用洗浄剤と洗浄水とに空気が混入されないものに比べて、水洗式トイレ１０の便器の洗浄効果が向上する。
したがって、トイレ用洗剤供給機１によれば、水洗式トイレ１０の便器の洗浄を確実に行うことができる。
また、トイレ用洗剤供給機１では、トイレ用洗浄剤と洗浄水とに空気が混入されることから、水洗式トイレ１０のロータンク本体１１内の洗浄も確実に行うことができる。
【００２５】
また、以上のように、導入部３が、小導入管３２が大導入管３１内に配置された状態で、大導入管３１と小導入管３２との間に隙間が形成されるように構成される、トイレ用洗剤供給機１では、水洗式トイレ１０の操作レバーを開操作してロータンク本体１１内に貯留される洗浄水を便器に流通させるときに、前記空気が、導入部３の大導入管３１と小導入管３２との間の隙間を流通して、トイレ用洗浄剤と洗浄水とに混入する。
したがって、トイレ用洗剤供給機１によれば、当該空気が混入されたトイレ用洗浄剤と洗浄水とを水洗式トイレ１０の便器に供給することができるものを、簡易な構成で実現することができる。
なお、導入部３の小導入管３２は、その中途部を軟質素材（例えば、ゴム素材）で構成することもできる（図４参照）。
【００２６】
また、図５に示すように、トイレ用洗剤供給機１では、導入部３が複数個（二個）の保持部３３を備える構成とすることもできる。
導入部３の保持部３３は、大導入管３１と小導入管３２との間に所定の隙間が形成された状態を保持する。
導入部３の保持部３３は、大導入管３１の内面と小導入管３２の外面との間に配置される。保持部３３は、大導入管３１の内面に設けられる。導入部３の保持部３３は、大導入管３１の内面から小導入管３２側に突出するように構成される。導入部３の保持部３３は、その突出方向の長さが大導入管３１の内面と小導入管３２の外面との間の距離と同等に構成される。導入部３の保持部３３は、１８０度位相をずらしてそれぞれ配置される。
【００２７】
以上のように、導入部３の保持部３３が、大導入管３１と小導入管３２との間に所定の隙間が形成された状態を保持する、トイレ用洗剤供給機１では、導入部３の大導入管３１と小導入管３２との間に所定の隙間が形成された状態を保持する。
したがって、トイレ用洗剤供給機１によれば、空気を、導入部３の大導入管３１と小導入管３２との間の隙間を確実に流通させて、トイレ用洗浄剤と洗浄水とに確実に混入させることがきる。
なお、導入部３の保持部３３は、小導入管３２の外面に設けられて小導入管３２の外面から大導入管３１側に突出するように構成することもでき、大導入管３１および小導入管３２と一体的に構成することもできる。
【００２８】
次に、図６から図８に記載のトイレ用洗剤供給機１について説明する。
なお、図６から図８に記載のトイレ用洗剤供給機１の説明は、図１から図５に記載のトイレ用洗剤供給機１と同様の構成の部分については適宜省略し、図１から図５に記載のトイレ用洗剤供給機１の構成と異なる部分を中心に説明する。
【００２９】
図６から図８に示すように、トイレ用洗剤供給機１は、貯留部２と、導入部３と、設置具４と、を備える。
【００３０】
トイレ用洗剤供給機１の設置具４は、トイレ用洗剤供給機１を水洗式トイレ１０に設置するために用いられる。
設置具４は、水洗式トイレ１０のロータンク本体１１の上端部（上端縁部）に引っ掛けるようにして取付けられる。
設置具４は、取付部４１と、台部４２と、支持部４３と、を備える。
【００３１】
トイレ用洗剤供給機１の設置具４の取付部４１は、水洗式トイレ１０のロータンク本体１１の上端部に引っ掛けるようにして取付けられる。
設置具４の取付部４１は、下方が開口する側面視略Ｕ字状（コ字状）に形成される。設置具４の取付部４１は、その開口幅が水洗式トイレ１０のロータンク本体１１の上端部よりも若干大きく構成される。
設置具４の取付部４１は、その開口を下方に向けて水洗式トイレ１０のロータンク本体１１の上端部に嵌められるようにして配置される。設置具４の取付部４１は、その天板が水洗式トイレ１０のロータンク本体１１と蓋１２との間に位置し、二個の側板のうち一方の側板がロータンク本体１１の外側に位置し、他方の側板がロータンク本体１１の外側に位置するように配置される。
水洗式トイレ１０のロータンク本体１１の外側に位置する側板には台部４２が設けられ、水洗式トイレ１０のロータンク本体１１の内側に位置する側板には支持部４３が設けられる。
【００３２】
トイレ用洗剤供給機１の設置具４の台部４２は、貯留部２が載置されるように構成される。
設置具４の台部４２は、平板状の部材であり、水洗式トイレ１０（ロータンク本体１１）の外側に配置される。
【００３３】
トイレ用洗剤供給機１の設置具４の支持部４３は、水洗式トイレ１０のロータンク本体１１における位置が安定するように導入部３を支持する。
設置具４の支持部４３は、直線状の筒状の部材であり、導入部３が挿通可能に構成される。支持部４３は、その内径が導入部３の外径よりも大きく構成される。
設置具４の支持部４３は、その軸心方向が上下方向を向くように水洗式トイレ１０（ロータンク本体１１）の内側に配置される。設置具４の支持部４３の上端部（上方の開口）は、水洗式トイレ１０のロータンク本体１１内の洗浄水外（洗浄水の水面より上方）に配置される。設置具４の支持部４３の下端部（下方の開口）は、水洗式トイレ１０のロータンク本体１１内の洗浄水内（洗浄水の水面より下方方）に配置される。
【００３４】
トイレ用洗剤供給機１の導入部３は、軟質素材で構成される管状の部材である。
導入部３の一端部は、水洗式トイレ１０のロータンク本体１１内に配置される。導入部３の一端部は、設置具４の支持部４３の上方の開口から支持部４３内に挿入されて、支持部４３の内側に配置される。
導入部３の他端部は、貯留部２のポンプ部２２の吐出口２４に接続される。
導入部３は、設置具４の支持部４３内に配置された状態で、設置具４の支持部４３との間（設置具４の支持部４３の内面と導入部３の外面との間）に所定の隙間（例えば、約２ｍｍ〜約５ｍｍの隙間）が形成されるように構成される。
【００３５】
トイレ用洗剤供給機１では、貯留部２のボトル部２１に貯留されるトイレ用洗浄剤は、ポンプ部２２（ポンプ部２２のスパウト２３）が押下動作されてポンプ部２２の吐出口２４から吐出され、導入部３を介して設置具４の支持部４３に流通して支持部４３の下方の開口から流出する。
このようにして、トイレ用洗剤供給機１は、水洗式トイレ１０のロータンク本体１１内にトイレ用洗剤を供給する。
【００３６】
トイレ用洗剤供給機１は、前記水洗式トイレ１０のロータンク本体１１内にトイレ用洗剤を供給した状態で操作レバーが開操作されることによって、ロータンク本体１１内に貯留される洗浄水を便器に流通させる。
このとき、吸引されるようにして設置具４の支持部４３の上方の開口から支持部４３内に空気が流入する。前記空気は、設置具４の支持部４３と導入部３との間の隙間を流通して、導入部３内のトイレ洗浄剤、および、ロータンク本体１１内のトイレ用洗浄剤と洗浄水とに、気泡となって混入する。そして、前記空気が混入されたトイレ用洗浄水と洗浄水とは、水洗式トイレ１０の便器に流通する。
このようにして、トイレ用洗剤供給機１は、トイレ用洗剤をロータンク本体１１に供給し、トイレ用洗剤と洗浄水とに空気を混入させ、当該空気が混入されたトイレ用洗浄剤と洗浄水とを水洗式トイレ１０の便器に供給する。
【００３７】
以上のように、設置具４の取付具は、水洗式トイレ１０のロータンク本体１１の上端部に引っ掛けるようにして取付けられ、設置具４の台部４２は、貯留部２が載置されるように構成される、トイレ用洗剤供給機１では、水洗式トイレ１０のロータンク本体１１の上端部に設置具４の取付具を引っ掛けて、設置具４の台部４２に貯留部２を載置することによって、トイレ用洗剤供給機１を水洗式トイレ１０に設置する。
このため、トイレ用洗剤供給機１では、水洗式トイレ１０のロータンク本体１１または蓋１２にトイレ用洗剤供給機１を取付けるための加工（例えば、孔をあける加工）を施すこと等なく、トイレ用洗剤供給機１を水洗式トイレ１０に設置することができる。
したがって、トイレ用洗剤供給機１によれば、トイレ用洗剤供給機１の水洗式トイレ１０への設置を容易に行うことができる。
【００３８】
また、以上のように、導入部３が、設置具４の支持部４３内に配置された状態で、設置具４の支持部４３との間に所定の隙間が形成されるように構成される、トイレ用洗剤供給機１では、水洗式トイレ１０の操作レバーを開操作してロータンク本体１１内に貯留される洗浄水を便器に流通させるときに、前記空気が、設置具４の支持部４３と導入部３との間の隙間を流通して、トイレ用洗浄剤と洗浄水とに混入する。
したがって、トイレ用洗剤供給機１によれば、当該空気が混入されたトイレ用洗浄剤と洗浄水とを水洗式トイレ１０の便器に供給することができるものを、簡易な構成で実現することができる。
【００３９】
トイレ用洗剤供給機１の設置具４の取付部４１は、水洗式トイレ１０のロータンク本体１１の上端部に取付けられた状態で、その天板の上面が蓋１２の下面に当接するように構成される。
設置具４の取付部４１は、水洗式トイレ１０のロータンク本体１１の上端部に取付けられた状態で、水洗式トイレ１０のロータンク本体１１の上端部（上端部の上面）と設置具４の取付部４１の天板の下面との間に、導入部３を配置可能な所定の空間が形成されるように構成される。
水洗式トイレ１０のロータンク本体１１の上端部の上面と設置具４の取付部４１の天板の下面との間の距離は、導入部３の外径（太さ）よりも大きく構成される。
【００４０】
トイレ用洗剤供給機１の設置具４の取付部４１は、切欠部４４を有する。
取付部４１の切欠部４４は、その二個の側板と天板とを切欠くように形成される。
取付部４１の切欠部４４は、その幅が導入部３の外径（太さ）よりも大きく形成され、導入部３が配置可能に構成される。取付部４１の切欠部４４には、その天板を横断して二個の側板間を渡るようにようにして導入部３が配置される。
【００４１】
以上のように、設置具４の取付部４１が、水洗式トイレ１０のロータンク本体１１の上端部に取付けられた状態で、水洗式トイレ１０のロータンク本体１１の上端部との間に、導入部３を配置可能な空間が形成されるように構成される、トイレ用洗剤供給機１では、水洗式トイレ１０のロータンク本体１１または蓋１２に導入部３を挿通するための加工（例えば、孔をあける加工）を施すこと等なく、トイレ用洗剤供給機１を水洗式トイレ１０に設置することができる。
したがって、トイレ用洗剤供給機１によれば、トイレ用洗剤供給機１の水洗式トイレ１０への設置を容易に行うことができる。
また、トイレ用洗剤供給機１では、水洗式トイレ１０のロータンク本体１１の上端部に取付けられた状態で、水洗式トイレ１０の蓋１２の下面に当接するように構成されることから、トイレ用洗剤供給機１によれば、導入部３が水洗式トイレ１０の蓋１２によって押しつぶされることによって、導入部３におけるトイレ用洗剤の流通不良が生じること防止することができる。
なお、トイレ用洗剤供給機１の設置具４は、台部４２と取付部４１とを一体的に構成することもできる。また、設置具４の支持部４３は、湾曲する形状（例えば、Ｌ字状やＳ字状）に構成することもできる。また、設置具４の支持部４３は、取付部４１に着脱可能に構成することもできる。
【００４２】
次に、図９から図１１に記載のトイレ用洗剤供給機１について説明する。
なお、図９から図１１に記載のトイレ用洗剤供給機１の説明は、図１から図８に記載のトイレ用洗剤供給機１と同様の構成の部分については適宜省略し、図１から図８に記載のトイレ用洗剤供給機１の構成と異なる部分を中心に説明する。
【００４３】
図９から図１０に示すように、トイレ用洗剤供給機１は、貯留部２と、導入部３と、設置具４と、ノズル５と、を備える。
【００４４】
トイレ用洗剤供給機１の導入部３は、下流側導入管３４と、上流側導入管３５と、を備える。
【００４５】
トイレ用洗剤供給機１の導入部３の下流側導入管３４は、管状の部材であり、他端部の内径が小導入管３２の外径よりも大きく構成される。
下流側導入管３４の一端部は、ノズル５（ノズル５の流体導入部５３）に接続される。
下流側導入管３４の他端部は、開口側が上方を向くようにしてロータンク本体１１外に配置される。
【００４６】
トイレ用洗剤供給機１の導入部３の上流側導入管３５は、管状の部材であり、その中途部が湾曲して略Ｌ字状に構成される。
上流側導入管３５は、その一端側が下方を向き、その他端側が側方を向くように配置される。小導入管３２の一端部は、下流側導入管３４の他端部の開口から下流側導入管３４内に挿入されて、下流側導入管３４の内側に配置される。上流側導入管３５の他端部は、貯留部２のポンプ部２２の吐出口２４に接続される。
導入部３は、上流側導入管３５が下流側導入管３４内に配置された状態で、下流側導入管３４と上流側導入管３５との間（下流側導入管３４の内面と上流側導入管３５の外面との間）に所定の隙間（例えば、約２ｍｍ〜約５ｍｍの隙間）が形成されるように構成される。
【００４７】
トイレ用洗剤供給機１では、貯留部２のボトル部２１に貯留されるトイレ用洗浄剤は、ポンプ部２２（ポンプ部２２のスパウト２３）が押下動作されてポンプ部２２の吐出口２４から吐出され、導入部３の上流側導入管３５を介して下流側導入管３４に流通して下流側導入管３４の一端部に溜まった状態とする。
【００４８】
また、トイレ用洗剤供給機１は、前記導入部３の下流側導入管３４の一端部に溜まった状態で操作レバーが開操作されることによって、ロータンク本体１１内に貯留される洗浄水を水洗式トイレ１０の便器に流通させる。
このとき、吸引されるようにして導入部３の大導入管３１の一端側の開口から大導入管３１内に空気が流入する。前記空気は、導入部３の下流側導入管３４と上流側導入管３５との間の隙間を流通して、下流側導入管３４内のトイレ洗浄剤に、気泡となって混入する。そして、前記空気が混入されたトイレ用洗浄水は、ノズル５に流通する。
【００４９】
トイレ用洗剤供給機１のノズル５は、ボールタップの給水口に接続される。
ノズル５には、導入部３の下流側導入管３４の一端部が接続される。
ノズル５は、ボールタップの給水口からノズル５内に流入した洗浄水の流速を増加させ、当該洗浄水に導入部３から供給されるトイレ用洗剤（空気が混入されたトイレ用洗剤）を混入させて、これを吐出するように構成される。
ノズル５は、流入部５１と、絞り部５２と、流体導入部５３と、吐出部５４と、を備える。
【００５０】
トイレ用洗剤供給機１のノズル５の流入部５１は、水洗式トイレ１０のボールタップの給水口に接続されて、ボールタップの給水口から流出する洗浄水がノズル５内に流入するように構成される。
【００５１】
トイレ用洗剤供給機１のノズル５の絞り部５２は、小径の貫通孔で構成され、流入部５１からノズル５内に流入した洗浄水の流れを絞って洗浄水の流速を増加させるように構成される。ノズル５は、絞り部５２から下流側へ流出する洗浄水の流速が、絞り部５２の上流側の洗浄水の流速よりも増加するように構成される。絞り部５２は、前記流速が増加した洗浄水を下流側に流出するように構成される。絞り部５２は、流入部５１よりも下流側に配置される。
【００５２】
トイレ用洗剤供給機１のノズル５の流体導入部５３は、絞り部５２から下流側へ流出する洗浄水に導入部３から供給されるトイレ用洗剤がノズル５内において混入するように、導入部３からノズル５内（絞り部５２の下流側部分近傍）に流体を導入する。流体導入部５３は、絞り部５２から下流側へ流出する洗浄水の水流によって吸引されることにより、導入部３からノズル５内にトイレ用洗剤を導入するように構成される。ノズル５は、流体導入部５３によって導入部３からトイレ用洗剤をノズル５内に導入させて絞り部５２から下流側へ流出する洗浄水にトイレ用洗剤を混入させる。
【００５３】
トイレ用洗剤供給機１のノズル５の吐出部５４は、トイレ用洗剤が混入された洗浄水を吐出する。
【００５４】
このようにして、トイレ用洗剤供給機１のノズル５は、流入部５１からノズル５内に流入して絞り部５２から下流側へ流出する洗浄水にトイレ用洗剤を混入させて、これを吐出部５４から吐出するように構成される。
【００５５】
以上のように、ノズル５の絞り部５２が流入部５１からノズル５内に流入した洗浄水の流れを絞って洗浄水の流速を増加させるように構成される、トイレ用洗剤供給機１では、洗浄水の流速が増加することから、水洗式トイレ１０のロータンク本体１１内の洗浄をより確実に行うことができる。
また、図１１に示すように、ノズル５は、回転体５５を備えて構成することもできる。
回転体５５は、回転体５５を備えることによって、絞り部５２の上流側の開口の閉鎖と開放とを隣接する絞り孔３４ごとに順次行うように回転することによって、絞り部５２への水の流入の遮断を断続的に行うように構成される。
【００５６】
次に、図１２に記載のトイレ用洗剤供給機１について説明する。
なお、図１２に記載のトイレ用洗剤供給機１の説明は、図１から図１１に記載のトイレ用洗剤供給機１と同様の構成の部分については適宜省略し、図１から図１１に記載のトイレ用洗剤供給機１の構成と異なる部分を中心に説明する。
【００５７】
トイレ用洗剤供給機１は、貯留部２と、導入部３と、設置具４と、を備える。
【００５８】
トイレ用洗剤供給機１の導入部３は、軟質素材で構成される管状の部材である。
導入部３の一端部は、水洗式トイレ１０のロータンク本体１１内に配置される。導入部３の他端部は、貯留部２のポンプ部２２の吐出口２４に接続される。
【００５９】
トイレ用洗剤供給機１は、貯留部２においてトイレ用洗剤に空気を混入させる。
貯留部２のポンプ部２２は、スパウト２３と、吐出口２４と、ステム２５と、ハウジング２６と、弾性体２７と、空気流入管２８と、を備える。
ポンプ部２２のステム２５は、下方に延出するようにスパウト２３にステム２５が設けられる。
ポンプ部２２のハウジング２６は、筒状の部材であり、その内部にステム２５を収納する。ハウジング２６は、ボトル部２１内に配置される。ハウジング２６は、ボトル部２１の上部開口から下方に延出するようにボトル部２１に取付けられる。
ポンプ部２２の弾性体２７は、コイルスプリングであり、ハウジング２６内に配置される。弾性体２７は、ポンプ部２２（ポンプ部２２のスパウト２３）が押下動作された後に、当該押下動作される前の位置にポンプ部２２を移動させるように、ポンプ部２２を上方に付勢する。
ポンプ部２２の空気流入管２８は、ハウジング２６内に空気を流入させる。空気流入管２８は、管状の部材であり、略Ｌ字状に構成される。空気流入管２８は、貯留部２内に配置される。
ポンプ部２２の空気流入管２８の一端部（一端側の開口）は、貯留部２内のトイレ用洗剤外（トイレ用洗剤の水面より上方）に配置される。空気流入管２８の他端部（他端側の開口）は、貯留部２内のトイレ用洗剤外（トイレ用洗剤の水面より上方）に配置される。空気流入管２８の他端部は、ハウジング２６の下方の開口からハウジング２６の下端部内に位置するように配置される。
【００６０】
トイレ用洗剤供給機１では、貯留部２のボトル部２１に貯留されるトイレ用洗浄剤は、ポンプ部２２（ポンプ部２２のスパウト２３）が押下動作されてポンプ部２２の吐出口２４から吐出され、導入部３に流通して導入部３の一端部の開口から流出する。
ことのき、吸引されるようにして貯留部２の空気流入管２８の一端側の開口から空気流入管２８内に空気が流入する。前記空気は、貯留部２の空気流入管２８の他端側の開口から流通して、貯留部２内（ポンプ部２２のハウジング２６、ステム２５、または、スパウト２３内）においてトイレ洗浄剤に、気泡となって混入する。
このようにして、トイレ用洗剤供給機１は、水洗式トイレ１０のロータンク本体１１内に空気が混入されたトイレ用洗剤を供給する。
【００６１】
以上のように、空気が混入されたトイレ用洗浄剤を水洗式トイレ１０の便器に供給する、トイレ用洗剤供給機１では、トイレ用洗浄剤に空気が混入されることから、トイレ用洗浄剤に空気が混入されないものに比べて、水洗式トイレ１０の便器の洗浄効果が向上する。
したがって、トイレ用洗剤供給機１によれば、水洗式トイレ１０の便器の洗浄を確実に行うことができる。
また、トイレ用洗剤供給機１では、トイレ用洗浄剤に空気が混入されることから、水洗式トイレ１０のロータンク本体１１内の洗浄も確実に行うことができる。
【符号の説明】
【００６２】
１    トイレ用洗剤供給機
２    貯留部
３    導入部
４    設置具
５    ノズル
１０  水洗式トイレ
１１  ロータンク本体
１２  蓋
２１  ボトル部
２２  ポンプ部
２３  スパウト
２４  吐出口
３１  大導入管
３２  小導入管
【図１】
2015175131.tif 000003
【図２】
2015175131.tif 000004
【図３】
2015175131.tif 000005
【図４】
2015175131.tif 000006
【図５】
2015175131.tif 000007
【図６】
2015175131.tif 000008
【図７】
2015175131.tif 000009
【図８】
2015175131.tif 000010
【図９】
2015175131.tif 000011
【図１０】
2015175131.tif 000012
【図１１】
2015175131.tif 000013
【図１２】
2015175131.tif 000014